(57)【特許請求の範囲】
【請求項１】
底面と複数の側壁面とを備え少なくとも上向きに開口した容器を有するペット用トイレに設けられる、ペット用トイレシートであって、
前記底面の上に載置され、前記ペットの尿を吸収する吸収部材と、
前記吸収部材の外方に一体的に設けられ、上方から前記複数の側壁面を覆うように被せられる不透液性のシート本体と、
前記被せられた状態の前記シート本体の外縁部に設けられ、当該シート本体が被せられた状態にある前記容器を締め付ける、弾性締付部材と、
を有し、
前記上向きに開口するとともに、前記底面の奥側と反対側である手前側に向かっても開口した、前開口型の略箱状の形状を備えた容器であって、前記複数の側壁面が、前記底面の左・右両側にそれぞれ立設される左壁面及び右壁面と、前記底面の前記奥側に立設される奥壁面とを含む容器に対して、前記シート本体は、前記左壁面、前記右壁面、前記奥壁面、を含む前記複数の側壁面を覆うように被せられ、
前記シート本体は、
前記左壁面のうち少なくとも前記底面側を覆う左面部と、
前記右壁面のうち少なくとも前記底面側を覆う右面部と、
前記奥壁面のうち少なくとも前記底面側を覆う奥面部と、
を含み、
前記弾性締付部材は、
前記左面部の外縁部に設けられた第１弾性部材と、
前記右面部の外縁部に設けられた第２弾性部材と、
前記奥面部の外縁部に設けられた第３弾性部材と、
を含み、
前記第１弾性部材、前記第２弾性部材、及び前記第３弾性部材は、互いに連結されて一体となっており、
前記第３弾性部材は、
前記奥面部のうち上側の端部近傍において略水平に延設されており、
前記第１弾性部材は、
前記左面部のうち奥側かつ上側の端部近傍から手前側かつ下側の端部近傍にかけて下り傾斜で延設されており、
前記第２弾性部材は、
前記右面部のうち奥側かつ上側の端部近傍から手前側かつ下側の端部近傍にかけて下り傾斜で延設されている
ことを特徴とするペット用トイレシート。
【請求項２】
底面と複数の側壁面とを備え少なくとも上向きに開口した容器を有するペット用トイレに設けられる、ペット用トイレシートであって、
前記底面の上に載置され、前記ペットの尿を吸収する吸収部材と、
前記吸収部材の外方に一体的に設けられ、上方から前記複数の側壁面を覆うように被せられる不透液性のシート本体と、
前記被せられた状態の前記シート本体の外縁部に設けられ、当該シート本体が被せられた状態にある前記容器を締め付ける、弾性締付部材と、
を有し、
前記上向きに開口するとともに、前記底面の奥側と反対側である手前側に向かっても開口した、前開口型の略箱状の形状を備えた容器であって、前記複数の側壁面が、前記底面の左・右両側にそれぞれ立設される左壁面及び右壁面と、前記底面の前記奥側に立設される奥壁面とを含む容器に対して、前記シート本体は、前記左壁面、前記右壁面、前記奥壁面、を含む前記複数の側壁面を覆うように被せられ、
前記シート本体は、
前記左壁面のうち少なくとも前記底面側を覆う左面部と、
前記右壁面のうち少なくとも前記底面側を覆う右面部と、
前記奥壁面のうち少なくとも前記底面側を覆う奥面部と、
を含み、
前記弾性締付部材は、
前記左面部の外縁部に設けられた第１弾性部材と、
前記右面部の外縁部に設けられた第２弾性部材と、
前記奥面部の外縁部に設けられた第３弾性部材と、
を含み、
前記第１弾性部材、前記第２弾性部材、及び前記第３弾性部材は、互いに連結されて一体となっており、
前記シート本体は、さらに、
前記吸収部材の手前側の縁部に連設され、前記底面の下部に差し込まれることにより前記容器の設置面と前記底面との間で挟持される挟面部を含み、
前記弾性締付部材は、さらに、
前記挟面部の外縁部に設けられた第４弾性部材を含み、
前記第１弾性部材、前記第２弾性部材、前記第３弾性部材、及び前記第４弾性部材は、互いに連結されて一体となっている
ことを特徴とするペット用トイレシート。
【請求項３】
請求項２記載のペット用トイレシートにおいて、
前記複数の側壁面が前記底面の手前側の左・右両側端部近傍にそれぞれ立設される左前壁面及び右前壁面を含む、前記容器に対して設けられており、
かつ、
前記シート本体は、
前記左前壁面のうち少なくとも前記底面側を覆う左前面部と、
前記右前壁面のうち少なくとも前記底面側を覆う右前面部と、
を含み、前記左前面部が前記左前壁面のうち少なくとも前記底面側を覆うとともに前記右前面部が前記右前壁面のうち少なくとも前記底面側を覆うように、被せられ、
前記弾性締付部材は、
前記左前面部の外縁部に設けられた第５弾性部材と、
前記右前面部の外縁部に設けられた第６弾性部材と、
を含み、
前記第１弾性部材、前記第２弾性部材、前記第３弾性部材、前記第４弾性部材、前記第５弾性部材、及び前記第６弾性部材は、互いに連結されて一体となっている
ことを特徴とするペット用トイレシート。
【請求項４】
請求項１乃至請求項３のいずれか１項記載のペット用トイレシートにおいて、
使用後に折りたたまれた前記ペット用トイレシートの当該折りたたみ形状を保持する形状保持部材をさらに有する
ことを特徴とするペット用トイレシート。
【発明の詳細な説明】
【技術分野】
【０００１】
本発明は、ペット用トイレに設けられるペット用トイレシートに関する。
【背景技術】
【０００２】
従来、犬や猫等のペットが排泄を行えるペット用トイレが知られている（例えば、特許文献１参照）。この従来技術には、平型トレイ状の容器の底部に尿を吸収する部材を敷くとともに、容器の上方から液不透過性のシートを被せ、容器の４辺に対し両面粘着テープによって係止する構成が記載されている。
【先行技術文献】
【特許文献】
【０００３】
【特許文献１】特開２０１５−２９４９４号公報
【発明の概要】
【発明が解決しようとする課題】
【０００４】
しかしながら、上記従来技術においては、四角形形状の容器に一枚布形状のシートを上方から被せた後、両面粘着テープで容器の４辺に係止するだけの構成である。そのため、シートと容器との密着性が十分でなく、シートの外縁部は外壁から離れた自由端となる。動物の特性として、そのような固定されていないシートの自由端があると、それを口で咥えてみたり足で触って遊んでみたり等、不用意な好ましくない行動をとる可能性がある。その結果、シートがずれたり、はなはだしい場合はシートが容器から外れてしまう恐れがあった。そのようにずれたり外れたりした場合、排泄物が容器に漏れて掃除が煩雑になるという問題がある。
【０００５】
本発明の目的は、ペットの不用意な行動により容器からずれたり外れたりするのを防止し、掃除の煩雑さを回避できるペット用トイレシートを提供することにある。
【課題を解決するための手段】
【０００６】
上記目的を達成するために、本願発明は、底面と複数の側壁面とを備え少なくとも上向きに開口した容器を有するペット用トイレに設けられる、ペット用トイレシートであって、前記底面の上に載置され、前記ペットの尿を吸収する吸収部材と、前記吸収部材の外方に一体的に設けられ、上方から前記複数の側壁面を覆うように被せられる不透液性のシート本体と、前記被せられた状態の前記シート本体の外縁部に設けられ、当該シート本体が被せられた状態にある前記容器を締め付ける、弾性締付部材と、を有し、前記上向きに開口するとともに、前記底面の奥側と反対側である手前側に向かっても開口した、前開口型の略箱状の形状を備えた容器であって、前記複数の側壁面が、前記底面の左・右両側にそれぞれ立設される左壁面及び右壁面と、前記底面の前記奥側に立設される奥壁面とを含む容器に対して、前記シート本体は、前記左壁面、前記右壁面、前記奥壁面、を含む前記複数の側壁面を覆うように被せられ、前記シート本体は、前記左壁面のうち少なくとも前記底面側を覆う左面部と、前記右壁面のうち少なくとも前記底面側を覆う右面部と、前記奥壁面のうち少なくとも前記底面側を覆う奥面部と、を含み、前記弾性締付部材は、前記左面部の外縁部に設けられた第１弾性部材と、前記右面部の外縁部に設けられた第２弾性部材と、前記奥面部の外縁部に設けられた第３弾性部材と、を含み、前記第１弾性部材、前記第２弾性部材、及び前記第３弾性部材は、互いに連結されて一体となっており、前記第３弾性部材は、前記奥面部のうち上側の端部近傍において略水平に延設されており、前記第１弾性部材は、前記左面部のうち奥側かつ上側の端部近傍から手前側かつ下側の端部近傍にかけて下り傾斜で延設されており、前記第２弾性部材は、前記右面部のうち奥側かつ上側の端部近傍から手前側かつ下側の端部近傍にかけて下り傾斜で延設されていることを特徴とする。
また、本願発明は、底面と複数の側壁面とを備え少なくとも上向きに開口した容器を有するペット用トイレに設けられる、ペット用トイレシートであって、  前記底面の上に載置され、前記ペットの尿を吸収する吸収部材と、前記吸収部材の外方に一体的に設けられ、上方から前記複数の側壁面を覆うように被せられる不透液性のシート本体と、前記被せられた状態の前記シート本体の外縁部に設けられ、当該シート本体が被せられた状態にある前記容器を締め付ける、弾性締付部材と、を有し、前記上向きに開口するとともに、前記底面の奥側と反対側である手前側に向かっても開口した、前開口型の略箱状の形状を備えた容器であって、前記複数の側壁面が、前記底面の左・右両側にそれぞれ立設される左壁面及び右壁面と、前記底面の前記奥側に立設される奥壁面とを含む容器に対して、前記シート本体は、前記左壁面、前記右壁面、前記奥壁面、を含む前記複数の側壁面を覆うように被せられ、前記シート本体は、前記左壁面のうち少なくとも前記底面側を覆う左面部と、前記右壁面のうち少なくとも前記底面側を覆う右面部と、前記奥壁面のうち少なくとも前記底面側を覆う奥面部と、を含み、前記弾性締付部材は、前記左面部の外縁部に設けられた第１弾性部材と、前記右面部の外縁部に設けられた第２弾性部材と、前記奥面部の外縁部に設けられた第３弾性部材と、を含み、前記第１弾性部材、前記第２弾性部材、及び前記第３弾性部材は、互いに連結されて一体となっており、前記シート本体は、さらに、前記吸収部材の手前側の縁部に連設され、前記底面の下部に差し込まれることにより前記容器の設置面と前記底面との間で挟持される挟面部を含み、前記弾性締付部材は、さらに、前記挟面部の外縁部に設けられた第４弾性部材を含み、前記第１弾性部材、前記第２弾性部材、前記第３弾性部材、及び前記第４弾性部材は、互いに連結されて一体となっていることを特徴とする。
【０００７】
本願発明のペット用トイレシートにおいては、内方側すなわち中央寄りに吸収部材が設けられ、その吸収部材の外方にシート本体が一体的に設けられる。使用時には、吸収部材は容器の底面の上に載置され、シート本体は容器の複数の側壁面を上方から覆うように被せられる。
このとき、複数の側壁面に被せられるシート本体の外縁部には、弾性締付部材が設けられている。これにより、本願発明のペット用トイレシートが容器に被せられた際には、シート本体の外縁部において弾性締付部材が容器を弾性的に締め付けるため、容器に対して十分に密着させることができる。その結果、従来構造のようなシート自由端が生じなくなる、若しくは生じにくくなるので、ペットの不用意な行動により容器からずれたり外れたりするのを防止し、掃除の煩雑さを回避することができる。また使用前においては、例えば不織布などの柔らかい素材を使用することで、コンパクトに折りたたんだ状態とすることができる。なお、弾性締付部材としては、例えば市販の紙おむつに使用されているもの等と同様、シート本体内部又は外面に接着又は圧着又は溶着又は縫製等により一体化したものを用いることもできる。
【０００８】
ペットの排泄時においては、尿は下部の吸収部材によって吸収され、糞は吸収部材の上に載置された形で集積される。犬の立ち姿勢による側方への排尿は、側壁面を覆う不透液性のシート本体上を流下して吸収部材にて吸収される。シート本体の材料としては例えば防水不織布を用いることができる。
飼い主は、適宜のタイミングでトイレシートを容器から取り外すことで、糞尿をシートごと廃棄することができる。その際、前述のように弾性締付部材による弾性力を用いて、ワンタッチで簡単に取り外すことができる。また、糞尿により汚れるのはシートのみであり、容器は汚れることがない。したがって、容器（いわゆるトイレトレー）の底面上に四角形平板状のシートを敷きその上にメッシュ板を置いてトイレとする場合のように、容器、シート、メッシュ板を分解してそれらを都度掃除する、面倒な手間が生じない。特に、メッシュ板のメッシュ（網目）の中に糞が詰まったときの多大な掃除の手間をなくすことができる効果が大きい。
【０００９】
また、上記の容器、（四角形平板状の）シート、メッシュ板の３層積層構造とすることなく、容器の上に本願発明のペット用トイレシートを被せる２層構造で足りる。すなわち、メッシュ板の配置を考慮する必要がなくなるため、容器側の構造も単純化することができる。そして、シート本体を容器の形状に合わせた形状とすることで、種々の形状を備えた多様な種類の容器に対して、本願発明のトイレ用シートを適用し、上記の効果を得ることができる。
【発明の効果】
【００１０】
本発明によれば、ペットの不用意な行動により容器からずれたり外れたりするのを防止することができる。
【図面の簡単な説明】
【００１１】
【図１】本発明の一実施形態によるトイレシートを用いたペット用トイレの全体外観構造をペットと共に示す斜視図である。
【図２】容器の全体構造を表す斜視図である。
【図３】容器にトイレシートを被せた状態の外観を表す前方側からの斜視図である。
【図４】容器にトイレシートを被せた状態の外観を表す略上方からの斜視図である。
【図５】容器にトイレシートを被せた状態の外観を表す略後方からの斜視図である。
【図６】容器にトイレシートを被せた状態の外観を表す左方からの斜視図である。
【図７】容器にトイレシートを被せた状態の外観を表す前方からの正面図である。
【図８】トイレシートの展開図である。
【図９】トイレシートの使用前における折り畳み状況を表す説明図である。
【図１０】トイレシートの使用後における折り畳み状況を表す説明図である。
【図１１】本実施形態のトイレシートにおいて掃除の際に必要となる手順を比較例と対比して示す表である。
【図１２】左前面部及び右前面部を省略する変形例における、トイレシートの展開図である。
【発明を実施するための形態】
【００１２】
以下、本発明の一実施形態を図面を参照して説明する。
【００１３】
＜トイレの全体概略構成＞
本実施形態によるトイレシートを用いたペット用のトイレを図１に示す。図１に示すように、本実施形態は、ペットＤＧとして犬が飼われる場合の実施形態である。本実施形態に係わるペット用のトイレＴＲは、容器１と、容器１に上方から被せられるトイレシート１０１と、を有している。なお、以下の説明において、上下方向、前後方向、左右方向は、図１等の各図中に適宜示す矢印向に対応している。なお、以下適宜、後側を「奥側」、前側を「手前側」と称する。
【００１４】
＜容器＞
容器１の全体構造を図２に示す。図２に示すように、容器１は、上向きに開口するとともに、奥側と反対側である手前側に向かう開口部１Ａを備えた、前開口型の略箱状の形状を備えている。すなわち、容器１は、底面１０と、この底面１０と一体的に形成された複数の（この例では５つの）側壁面１２〜１６と、を有している。ペットＤＧは、（被せられたトイレシート１０１越しに）上記開口部１Ａを利用して容器１内へ容易に出入りすることができる。
【００１５】
複数の側壁面は、底面１０の左側に立設される左壁面１１と、底面１０の右側に立設される右壁面１２と、底面１０の奥側に立設される奥壁面１３と、底面１０の手前側の左側端部近傍に立設される左前壁面１５と、底面１０の手前側の右側端部近傍に立設される右前壁面１６と、を一体的に備えている。
【００１６】
＜トイレシート＞
トイレシート１０１を容器１に被せた状態を表す前方側からの斜視図を図３に示し、略上方からの斜視図を図４に示し、略後方からの斜視図を図５に示し、左方からの斜視図を図６に示し、前方からの正面図を図７に示す。
【００１７】
これら図３〜図７に示すように、トイレシート１０１は、底面１０の上に載置された略平板状の吸収部材１０５と、上方から上記側壁面１１〜１６を覆うように被せられる不透液性のシート本体１１０と、容器１を締め付けるための弾性締付部材１６０と、を有している。吸収部材１０５は、略長方形形状を備えており、ペットＤＧの尿を吸収する機能を有する。なお、シート本体１１０として、上記吸収部材１０５と同等のものを用いてもよい。すなわち、シート本体１１０及び吸収部材１０５を、不透液性を備えかつ液吸収性も備えた、共通の単一の素材により構成してもよい。この場合、トイレシートは、底面１０の上に載置される、上記単一素材による吸収部材と、側壁面１１〜１６を覆うように被せられる、上記単一素材によるシート本体と、弾性締付部材１６０と、によって構成される（実質的に２部材によって構成される）こととなる。
【００１８】
＜シート本体＞
シート本体１１０は、例えば防水不織布で構成されており、吸収部材１０５の外方に一体的に設けられている。このシート本体１１０は、奥壁面１３のうち少なくとも底面１０側を覆う奥面部１１３と、容器１の左壁面１１のうち少なくとも底面１０側（この例では底面１０側のほぼ全部と反底面１０側の約半分）を覆う左面部１１１と、右壁面１２のうち少なくとも底面１０側（この例では底面１０側のほぼ全部と反底面１０側の約半分）を覆う右面部１１２と、を有している。
【００１９】
この例では、奥面部１１３は、容器１の奥壁面１３のうち、底面１０側のほぼ全部、及び、反底面１０部側の上端近傍のみ、を覆っている。この結果、後方側から見た場合、図５に示すように、容器１の奥壁面１３がほぼ表面に露出する一方、奥壁面１３の上端近傍のみ、シート本体１１０の奥面部１１３によって覆われている。奥面部１１３をこのような構成とすることで、シート本体１１０全体による容器１へのフィット感は維持しつつ、シート本体１１０の製造のために使用する生地の量を低減することができる。また、シート本体１１０を容器１に取り付けやすくすることができる効果もある。
【００２０】
左面部１１１は、上記の奥面部１１３の形状に対応し、容器１の左壁面１１のうち、底面１０側のほぼ全部、及び、反底面１０側の約半分を覆っている。すなわち、左面部１１１は、その縁部１１１ａが、容器１の左壁面１１のうち奥側かつ上側の端部１１Ａ近傍から手前側かつ下側の端部１１Ｂ近傍に向かって下り傾斜で延びるような、三角形形状を備えている。
なお、図示を省略しているが、シート本体１１０は左・右対称形状となっており、右面部１１２は、上記左面部１１１と対称形状となっている。すなわち、上記同様、奥面部１１３の形状に対応し、右面部１１２は、容器１の右壁面１２のうち、底面１０側のほぼ全部、及び、反底面１０側の約半分を覆っている。すなわち、右面部１１２は、その縁部ａが、容器１の右壁面１２のうち奥側かつ上側の端部近傍から手前側かつ下側の端部近傍に向かって下り傾斜で延びるような、三角形形状を備えている。
【００２１】
シート本体１１０はまた、左前壁面１５のうち少なくとも底面１０側を覆う左前面部１１５と、右前壁面１６のうち少なくとも底面１０側を覆う右前面部１１６と、吸収部材１０５の手前側の縁部に連設された挟面部１１４（後述の図８等参照）と、を備えている。
図３等に示すように、左前面部１１５は、この例では、容器１の左前壁面１５のほぼ全部を覆っており、右前面部１１６は、この例では、容器１の右前壁面１６のほぼ全部を覆っている。挟面部１１４は、底面１０の下部に差し込まれることにより、容器１の設置面Ｇと底面１０との間で挟持されている（図示省略）。
【００２２】
＜弾性締付部材＞
弾性締付部材１６０は、被せられた状態のシート本体１１０の外縁部に設けられている。すなわち、弾性締付部材１６０は、左面部１１１の外縁部に設けられた第１弾性部材１６１と、右面部１１２の外縁部に設けられた第２弾性部材１６２と、奥面部１１３の外縁部に設けられた第３弾性部材１６３と、挟面部１１４の外縁部に設けられた第４弾性部材１６４と、左前面部１１５の外縁部に設けられた第５弾性部材１６５と、右前面部１１６の外縁部に設けられた第６弾性部材１６６と、から構成されている。これら第１弾性部材１６１、第２弾性部材１６２、第３弾性部材１６３、第４弾性部材１６４、第５弾性部材１６５、及び第６弾性部材１６６は、例えば、各面部１１１，１１２，１１３，１１４，１１５，１１６の中に予めそれぞれ組み込まれている。そして、後述のように、各面部１１１，１１２，１１３，１１４，１１５，１１６が適宜に接着又は圧着又は縫製等（以下適宜、単に「接着等」と称する）により立体的に組み立てられたとき、隣接する弾性部材１６１〜１６６同士が互いに接着等により連結されることで、一体となっている。
【００２３】
第３弾性部材１６３は、奥壁面１３の反底面１０部側の上端近傍のみを覆う奥面部１１３の前述した形状に対応し、奥面部１１３のうち上側の端部近傍において略水平に延設されている（図３、図６参照）。
第１弾性部材１６１は、前述の左面部１１１の形状、言い換えれば、奥側かつ上側の端部１１Ａ近傍から手前側かつ下側の端部１１Ｂ近傍への縁部１１１ａの方向に対応し、左面部１１１のうち奥側かつ上側の端部１１１Ａ近傍から手前側かつ下側の端部１１１Ｂ近傍にかけて下り傾斜で延設されている（図６参照）。
第２弾性部材１６２は、上記第１弾性部材１６１と同様、前述の右面部１１２の形状に対応し、右面部１１２のうち奥側かつ上側の端部１１２Ａ近傍から手前側かつ下側の端部（図示省略）近傍にかけて下り傾斜で延設されている。
【００２４】
＜製造方法＞
次に、上記構成のトイレシート１０１の製造方法の一例を図８により説明する。本実施形態のトイレシート１０１は、例えば図８に示すような１枚布状のシート素材Ｅを立体的に組み立てることによって製造される。図８に示すように、シート素材Ｓには、前述した吸収部材１０５と、吸収部材１０５に対し境界線Ｐ１を介して図示上方に連設された上記奥面部１１３と、吸収部材１０５に対し境界線Ｑ１を介して図示左方に連設された上記左面部１１１と、左面部１１１に対し境界線Ｑ４，Ｑ５を介し図示下方に連設された上記左前面部１１５と、吸収部材１０５に対し境界線Ｒ１を介して図示右方に連設された上記右面部１１２と、右面部１１２に対し境界線Ｒ４，Ｒ５を介し図示下方に連設された上記右前面部１１６と、吸収部材１０５に対し境界線Ｕ１を介して図示下方に連設された上記挟面部１１４と、が備えられている。
【００２５】
トイレシート１０１を組み立てる際には、まず上記境界線Ｐ１，Ｑ１，Ｒ１をそれぞれ谷折りすることにより奥面部１１３、左面部１１１、右面部１１２を起こし、吸収部材１０５に対し略直角に立設する。立設した奥面部１１３によって、容器１の奥壁面１３の底面１０側及び反底面１０部側の上端近傍を覆う部分が生成される。
上記谷折りの結果、奥面部１１３の図示左側の縁部Ｐ２と左面部１１１の図示上側の縁部Ｑ２とが対向するため、これら縁部Ｐ２，Ｑ２を接着等により接合する。併せて第１弾性部材１６１と第３弾性部材１６３とが連結される。  同様に、奥面部１１３の図示右側の縁部Ｐ３と右面部１１２の図示上側の縁部Ｒ２とが対向するため、これら縁部Ｐ３，Ｒ２を接着等により接合する。併せて第２弾性部材１６２と第３弾性部材１６３とが連結される。
【００２６】
その後、左面部１１１の内側領域１１１ｉと外側領域１１１ｏとの境界線Ｑ３が山折りされる。これによって、容器１の左壁面１１における底面１０側のほぼ全部及び反底面１０側の約半分と、が生成される。またこの山折りにより、左前面部１１５の内側領域１１５ｉの図示下側の縁部Ｓ２と外側領域１１５ｏの図示下側の縁部Ｓ３とが対向するため、これら縁部Ｓ２，Ｓ３を接着等により接合する。これによって、容器１の左前壁面１５のほぼ全部を覆う部分が生成される。
上記同様に、右面部１１２の内側領域１１２ｉと外側領域１１２ｏとの境界線Ｒ３が山折りされる。右壁面１２における底面１０側のほぼ全部及び反底面１０側の約半分と、を覆う部分が生成される。またこの山折りにより、右前面部１１６の内側領域１１６ｉの図示下側の縁部Ｔ２と外側領域１１６ｏの図示下側の縁部Ｔ３とが対向するため、これら縁部Ｔ２，Ｔ３を接着等により接合する。これによって、容器１の右前壁面１６のほぼ全部を覆う部分が生成される。
【００２７】
その後、上記境界線Ｕ１を山折りすることにより、挟面部１１４が吸収部材１０５の裏面側すなわち下側へと折り込まれる。これにより、底面１０の下部に差し込まれ設置面Ｇと底面１０との間で挟持される部分が生成される。
【００２８】
そして、左面部１１１の上記内側領域１１１ｉと左前面部１１５の内側領域１１５ｉとの上記境界線Ｑ４が谷折りされるとともに、左面部１１１の上記外側領域１１１ｏと左前面部１１５の外側領域１１５ｏとの上記境界線Ｑ５が山折りされる。これら谷折り及び山折りの結果、内側領域１１５ｉの図示右側の縁部Ｓ４が、吸収部材１０５の図示下側の縁部（境界線Ｕ１の位置近傍）のうち図示左端側の部分に対し上下方向に対向するため、これらを接着等により接合する。
その後、外側領域１１５ｏとそれより図示左側の差込領域１１５ｕとの境界線Ｓ５が山折りされる。これにより、差込領域１１５ｕは、前述のように折り込まれ済の挟面部１１４のさらに下側へ重なるように折り込まれることとなる。この結果、差込領域１１５ｕの図示左側の縁部Ｓ７が、上記のように折り込み済の挟面部１１４の図示下側の外縁部Ｕ４のうち図示左端側の部分に対し、上下方向に対向することとなるため、これらを接着等により接合する。また差込領域１１５ｕの図示上側の外縁部Ｓ６が挟面部１１４の図示左側の外縁部Ｕ２に対し上下方向に対向することとなるため、これらを接着等により接合する。なおこのとき、外縁部Ｓ６には前述の第５弾性部材１６５が（左面部１１１の外側領域１１１ｏの第１弾性部材１６１と連結された状態で）設けられており、上記接合時に、第５弾性部材１６５は、挟面部１１４の上記外縁部Ｕ４に設けられている第４弾性部材１６４と接着等により連結される。これにより、第１弾性部材１６１、第５弾性部材１６５、及び第４弾性部材１６４が互いに連結される。
【００２９】
上記同様、右面部１１２の上記内側領域１１２ｉと右前面部１１６の内側領域１１６ｉとの上記境界線Ｒ４が谷折りされるとともに、右面部１１２の上記外側領域１１２ｏと右前面部１１６の外側領域１１６ｏとの上記境界線Ｒ５が山折りされる。これら谷折り及び山折りの結果、内側領域１１６ｉの図示左側の縁部Ｔ４が、吸収部材１０５の図示下側の縁部（境界線Ｕ１の位置近傍）のうち図示右端側の部分に対し上下方向に対向するため、これらを接着等により接合する。
その後、外側領域１１６ｏとそれより図示右側の差込領域１１６ｕとの境界線Ｔ５が山折りされる。これにより、差込領域１１６ｕは、前述のように折り込まれ済の挟面部１１４のさらに下側へ重なるように折り込まれることとなる。この結果、差込領域１１６ｕの図示左側の縁部Ｔ７が、上記のように折り込み済の挟面部１１４の図示下側の外縁部Ｕ４のうち図示右端側の部分に対し、上下方向に対向することとなるため、これらを接着等により接合する。また差込領域１１６ｕの図示上側の外縁部Ｔ６が挟面部１１４の図示右側の外縁部Ｕ３に対し上下方向に対向することとなるため、これらを接着等により接合する。なおこのとき、外縁部Ｔ６には前述の第６弾性部材１６５が（右面部１１２の外側領域１１２ｏの第２弾性部材１６２と連結された状態で）設けられており、上記接合時に、第６弾性部材１６６は、挟面部１１４の上記外縁部Ｕ４に設けられている第４弾性部材１６４と接着等により連結される。これにより、第２弾性部材１６２、第６弾性部材１６６、及び第４弾性部材１６４が互いに連結される。
【００３０】
以上の手順により、吸収部材１０５と、左面部１１１と、右面部１１２と、奥面部１１３と、挟面部１１４と、左前面部１１５と、右前面部１１６と、を有し、各面部１１１〜１１６にそれぞれ設けられた第１〜第６弾性部材１６１〜１６６が互いに連結された、前述の態様のトイレシート１０１が完成する。
【００３１】
＜実施形態の効果＞
以上説明したように、本実施形態のトイレシート１０１においては、内方側すなわち中央寄りに吸収部材１０５が設けられ、その吸収部材１０５の外方にシート本体１１０が一体的に設けられる。使用時には、吸収部材１０５は容器１の底面１０の上に載置され、シート本体１１０は容器１の複数の側壁面１１〜１６を上方から覆うように被せられる。複数の側壁面１１〜１６に被せられるシート本体１１０の外縁部には、弾性締付部材１６０が設けられている。
これにより、トイレシート１０１が容器１に被せられた際には、シート本体１１０の外縁部において弾性締付部材１６０が容器１を弾性的に締め付けるため、容器１に対して十分に密着させることができる。その結果、従来構造のようなシート自由端が生じなくなる、若しくは生じにくくなるので、ペットＤＧの不用意な行動により容器１からずれたり外れたりするのを防止し、掃除の煩雑さを回避することができる。また使用前においては、例えば不織布などの柔らかい素材を使用することで、図９に示すように、コンパクトに折りたたんだ状態とすることができる。なお、弾性締付部材１６０としては、例えば市販の紙おむつに使用されているもの等と同様、シート本体１１０内部又は外面に接着等により一体化したものを用いることもできる。
【００３２】
ペットＤＧの排泄時においては、尿は下部の吸収部材１０５によって吸収され、糞は吸収部材１０５の上に載置された形で集積される。犬の立ち姿勢による側方への排尿は、側壁面１１〜１６を覆う不透液性のシート本体１１０上を流下して吸収部材１０５にて吸収される。なおシート本体１１０の材料としては例えば防水不織布を用いることができる。
【００３３】
飼い主は、適宜のタイミングでトイレシート１０１を容器１から取り外すことで、糞尿をシートごと廃棄することができる。その際、前述のように弾性締付部材１６０による弾性力を用いて、ワンタッチで簡単に取り外すことができる。このとき、糞尿により汚れるのはトイレシート１０１のみであり、容器１は汚れることがない。したがって、容器１（いわゆるトイレトレー）の底面１０上に四角形平板状の吸収シートを敷きその上にメッシュ板を置いてトイレとする場合のように、容器１、吸収シート、メッシュ板を分解してそれらを都度掃除する、面倒な手間が生じない。特に、メッシュ板のメッシュ（網目）の中に糞が詰まったときの多大な掃除の手間をなくすことができる効果が大きい。
【００３４】
上記容器１、吸収シート、メッシュ板からなるトイレを用いる場合を比較例としたときに、本実施形態により得られる効果を図１１に一覧表として示す。図１１に示すように、比較例においては、掃除の際には、周囲が汚れるのを防ぐために新聞紙を広げて敷く（ステップ１）→飼育用のゲージから容器等を取り出す（ステップ２）→容器、吸収シート、メッシュ板の３つに分解する（ステップ３）→汚れた吸収シートを取り出す（ステップ４）→容器を掃除する（ステップ５）→汚物をまとめてゴミ箱に捨てる（ステップ６）→新しい吸収シートをセット（ステップ７）→容器、吸収シート、メッシュ板の３つを組み立てる（ステップ８）→それら容器等をゲージに戻す（ステップ９）→新聞紙を片付ける（ステップ１０）、という１０個の手順が必要となる。
これに対し、本実施形態では、前述のように汚れるのはトイレシート１０１のみである（容器１は汚れることがない）ことから、上記のステップ１，２，３，５，８，９，１０は不要となる。すなわち、汚れたトイレシート１０１を取り出す（ステップ４）→トイレシート１０１ごと汚物をゴミ箱に捨てる（ステップ６）→新しいトイレシート１０１をセット（ステップ７）、という３手順だけで足りるので、手間を大きく減らすことができる。
【００３５】
また本実施形態によれば、前述した容器、（四角形平板状の）シート、メッシュ板の３層積層構造とすることなく、容器１の上にトイレシート１０１を被せる２層構造で足りる。すなわち、メッシュ板の配置を考慮する必要がなくなるため、容器１側の構造も単純化することができる。そして、シート本体１１０を容器１の形状に合わせた形状とすることで、種々の形状を備えた多様な種類の容器１に対して、本実施形態と同様のトイレ用シートを適用し、上記の効果を得ることができる。
【００３６】
また、本実施形態では特に、容器１は、上記側壁面として、左壁面１１、右壁面１２、奥壁面１３の３つを備えることで左右両側及び奥側の三方が各側壁面１１，１２，１３で外部と仕切られるとともに、手前側は開口した、略箱型の形状となっている。これにより、ペットＤＧはその開口した手前側よりスムーズに容器１内に立ち入って（図１中の矢印ア参照）、排泄を行うことができる。
【００３７】
また、本実施形態では特に、前述のように、左右両側及び奥側の三方が各側壁面１１，１２，１３で外部と仕切られる形状の容器１に対して被せられ、容器１の左壁面１１、右壁面１２、奥壁面１３はそれぞれ左面部１１１、右面部１１２、奥面部１１３により覆われる。その際、左面部１１１、右面部１１２、奥面部１１３それぞれの外縁部には、第１弾性部材１６１、第２弾性部材１６２、第３弾性部材１６３がそれぞれ設けられるとともに、これら第１〜第３弾性部材１６１〜１６３は、互いに連結された一体構造となっている。これにより、前述のように三方が仕切られ手前側が開口した略箱型形状の容器１に対し被せられて使用される場合でも、一体構造の上記第１〜第３弾性部材１６１〜１６３によって確実に容器１を締め付けることができるので、容器１からずれたり外れたりするのを防止できる。
【００３８】
また、本実施形態では特に、容器１の奥壁面１３に対応する奥面部１１３においては、その上側端部近傍において第３弾性部材１６３が略水平に延設されている。そして、奥面部１１３に対し左手前側において接することとなる左面部１１１においては、第１弾性部材１６１が、上記第３弾性部材１６３の左端部に連続するように、奥側かつ上側の端部近傍から手前側かつ下側の端部近傍へと下り傾斜で延設されている（図６参照）。同様に、奥面部１１３に対し右手前側において接することとなる右面部１１２においては、第２弾性部材１６２が、上記第３弾性部材１６３の右端部に連続するように、奥側かつ上側の端部近傍から手前側かつ下側の端部近傍へと下り傾斜で延設されている。
このような第１弾性部材１６１、第３弾性部材１６３、第２弾性部材１６２の配置態様とすることで左面部１１１の手前側下端部近傍〜左面部１１１の奥側上端部近傍〜奥面部１１３の左側上端部近傍〜奥面部１１３の右側上端部近傍〜右面部１１２の奥側上端部近傍〜右面部１１２の手前側下端部近傍の経路により、各面部１１１，１１３，１１２において直線的に弾性部材１６１，１６３，１６２を延設することができる（図６等参照）。この結果、各面部１１１，１１３，１１２において強力な締め付け力を確実に作用させ、さらに確実にトイレシート１０１全体を容器１へ密着させることができる。）
【００３９】
また、本実施形態では特に、前述の左面部１１１、右面部１１２、奥面部１１３のほかに、挟面部１１４が備えられている。この挟面部１１４は、吸収部材１０５の手前側に連設されており、トイレシート１０１の使用時には、容器１の底面１０の下部に手前側から奥側へと差し込まれ容器１の設置面Ｇと底面１０との間で挟持される。これにより、ペットＤＧが上記略箱型形状の容器１内へと出入りする手前側開口部においても確実に容器１を覆い、ペットＤＧの糞尿により容器１が汚れるのを防止することができる。また挟面部１１４の外縁部には第４弾性部材１６４が設けられ、この第４弾性部材１６４は、左面部１１１、右面部１１２、奥面部１１３それぞれに延設された上記第１弾性部材１６１、第２弾性部材１６２、第３弾性部材１６３に対し連結されて一体となっている。これにより、この挟面部１１４が設けられる場合においても、挟面部１１４を含むすべての面部１１１〜１１６において強力な締め付け力を確実に作用させ、シート全体を容器１へ確実に密着させることができる。
【００４０】
また、本実施形態では特に、容器１はさらに、底面１０手前側の左端部近傍に立設される左前壁面１５と、底面１０手前側の右端部近傍に立設される右前壁面１６とを備えている。これにより、ペットＤＧが容器１内へと出入りする開口部の両側に位置するそれら左前壁面１５及び右前壁面１６によって当該開口部まわりの強度を補強し、容器１の耐久性を向上することができる。またこのとき、トイレシート１０１には、上記左前壁面１５及び右前壁面１６をそれぞれ覆う左前面部１１５及び右前面部１１６が備えられるとともに、それら左前面部１１５及び右前面部１１６の外縁部には第５弾性部材１６５及び第６弾性部材１６６がそれぞれ備えられている。それら第５弾性部材１６５及び第６弾性部材１６６は、前述の第１〜第４弾性部材１６４に対し連結されて一体となっている。これにより、上記のような強度補強がなされた構造の容器１に対しても確実に覆うことができ、かつすべての面部１１１〜１１６において強力な締め付け力を確実に作用させ、トイレシート１０１全体を容器１へ確実に密着させることができる。
【００４１】
また、本実施形態では特に、ペットＤＧが排泄した糞尿を始末する際の便宜のために、前述の図８に示すように、トイレシート１０１に備えられる上記吸収部材１０５の裏面側に、形状保持部材ＴＰが設けられている。これにより、使用後には、トイレシートを折りたたんだ後、形状保持部材ＴＰを用いてその折りたたんだ形状を保持することができる。この結果、ペットＤＧが排泄した糞尿を始末する際には、糞尿ごとトイレシート１０１を折りたたんだ状態で、容易かつ簡単に取り扱うことができる（図１０参照）。なお、形状保持部材ＴＰとしては、例えば市販の紙おむつに使用されているテープと同様のものを用いることもできる。
【００４２】
＜変形例＞
なお、本発明は、上記実施形態に限られるものではなく、その趣旨及び技術的思想を逸脱しない範囲内で種々の変形が可能である。以下、そのような変形例を、順を追って説明する。
【００４３】
（１）左前面部及び右前面部を省略する場合
すなわち、図１２中の模式図に示すように、例えば容器１′が、左前壁面１５及び右前壁面１６を有さず、底面１０、左壁面１１、右壁面１２、及び奥壁面１３のみを有している場合である。このような容器１′に対しては、図１２の模式図に示すように、左前面部１１５及び右前面部を省略し、左面部１１１、右面部１１２、奥面部１１３、挟面部１１４、吸収部材１０５のみからなるトイレシート１０１′が用いられる。このトイレシート１０１′は、例えば図１２に示すような１枚布状のシート素材Ｅ′を立体的に組み立てることによって製造される。図１２に示すように、このシート素材Ｅ′は、図８に示した上記実施形態のシート素材Ｅから前述の左前面部１１５、右前面部１１６、第５弾性部材１６５、第６弾性部材を削除した構成となっている。
【００４４】
また、第５弾性部材１６５及び第６弾性部材の削除に対応して、全弾性部材１６１〜１６４を一体に連結するために、第４弾性部材１６４の左・右両端部に左接続部１６４ｌ及び右接続部１６４ｒがそれぞれ追加されている。これにより、前述の境界線Ｑ３，Ｒ３の山折りの後に、境界線Ｕ１の山折りで挟面部１１４が吸収部材１０５の下側へと折り込まれた際に、第４弾性部材１６４の左接続部１６４ｌ及び右接続部１６４ｒを、それぞれ第１弾性部材１６１及び第２弾性部材１６２の図示下側の端部にそれぞれ接着等により連結することができる。これによって、第４弾性部材１６４は図示左側において第１弾性部材１６１に連結され、図示右側において第２弾性部材１６２に連結されるため、全弾性部材１６１，１６２，１６３，１６４を一体的に連結することができる。
以上のように構成した本変形例のトイレシート１０１′においても、上記実施形態と同様の効果を得ることができる。
【００４５】
（２）その他
なお、以上においては、前述のメッシュ板等を使用しない新しい構成の容器１について図示及び説明を行ったが、これに限られない。すなわち、容器１に相当するトイレトレーの底面上に吸収シートを敷きその上にメッシュ板を置いてトイレとする旧来の構成（掃除のときに前述の分解が必要となっていた構成）に対し、上記トイレシート１０１を被せて使用してもよい。この場合も、前述と同様の効果を得る。
また、以上においては、ペットＤＧとして犬が飼われる場合を例にとって説明したが、これに限られない。すなわち、ペットとして飼い主に飼育される動物であれば、猫、ウサギ、フェレット、ハムスター、モルモット、爬虫類、鳥、等が飼われる場合においても適用でき、同様の効果を得る。
【００４６】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００４７】
また、以上既に述べた以外にも、上記実施形態や各変形例による手法を適宜組み合わせて利用しても良い。
【００４８】
その他、一々例示はしないが、本発明は、その趣旨を逸脱しない範囲内において、種々の変更が加えられて実施されるものである。
【符号の説明】
【００４９】
１                容器
１′              容器
１０              底面
１１              左壁面
１２              右壁面
１３              奥壁面
１５              左前壁面
１６              右前壁面
１０１            トイレシート
１０１′          トイレシート
１０５            吸収部材
１１０            シート本体
１１１            左面部
１１２            右面部
１１３            奥面部
１１４            挟面部
１１５            左前面部
１１６            右前面部
１６０            弾性締付部材
１６１            第１弾性部材
１６２            第２弾性部材
１６３            第３弾性部材
１６４            第４弾性部材
１６５            第５弾性部材
１６６            第６弾性部材
ＤＧ              ペット
Ｇ                設置面
ＴＰ              形状保持部材
ＴＲ              ペット用のトイレ
【要約】
【課題】ペットの不用意な行動により容器からずれたり外れたりするのを防止し、掃除の煩雑さを回避する。
【解決手段】トイレシート１０１は、底面１０と複数の側壁面１１〜１６とを備え少なくとも上向きに開口した容器１を有するペット用トイレＴＲに設けられており、底面１０の上に載置され、ペットＤＧの尿を吸収する吸収部材１０５と、吸収部材１０５の外方に一体的に設けられ、上方から複数の側壁面１１〜１６を覆うように被せられる不透液性のシート本体１１０と、被せられた状態のシート本体１１０の外縁部に設けられ、シート本体１１０が被せられた状態にある容器１を締め付ける、弾性締付部材１６０と、を有する。
【選択図】図８【図１】
0006890359.tif 000002
【図２】
0006890359.tif 000003
【図３】
0006890359.tif 000004
【図４】
0006890359.tif 000005
【図５】
0006890359.tif 000006
【図６】
0006890359.tif 000007
【図７】
0006890359.tif 000008
【図８】
0006890359.tif 000009
【図９】
0006890359.tif 000010
【図１０】
0006890359.tif 000011
【図１１】
0006890359.tif 000012
【図１２】
0006890359.tif 000013